(57)【要約】【課題】盗難信号が発せられた場合でも盗難信号に応答しない、盗難防止装置付きセルコールブイを提供する。【解決手段】本発明は、基地局からの選択呼出し信号を受信するアンテナ１、受信部３、切り替え器２、信号選択部５、オートキーヤ部６、送信部４から構成されている。信号選択部５には、複数個のフィルタ回路５ａ、５ｂ、５ｃ、５ｄ、５ｅ及び信号検出制御部７が設けられている。複数個のフィルタ回路５ａ、５ｂ、５ｃ、５ｄは、固有の選択番号が含まれている場合に信号を出力する。フィルタ回路５ｅは、前記固有の選択番号に含まれない他の固有の選択番号が含まれている場合に応答するフィルタ回路である。盗難信号の場合にはフィルタ回路５ｅにより固有の選択番号に応答したフィルタ回路５ａ、５ｂ、５ｃ、５ｄの信号がマスクされ、信号検出制御部７から応答信号が出力されない。【選択図】　図１
2004048173.tif 000002
【特許請求の範囲】
【請求項１】
固有の選択番号が含まれる選択呼び出し信号を受信し、回答信号を出力するセルコールブイにおいて、前記固有の選択番号に応答して信号を出力する固有信号応答手段と、前記受信信号が盗難信号であることを検出する盗難信号検出手段を備えることを特徴とする盗難防止装置付きセルコールブイ。
【請求項２】
前記盗難信号検出手段は、前記固有の選択番号に含まれない他の選択番号に応答して信号を出力し、前記盗難信号検出手段からの出力信号がある場合には、前記固有の選択番号に応答して前記回答信号を出力しないことを特徴とする請求項１記載の盗難防止装置付きセルコールブイ。
【請求項３】
前記盗難信号検出手段は、前記固有の選択番号に含まれない、少なくとも１つの他の選択番号に応答して信号を出力することを特徴とする請求項１または２に記載の盗難防止装置付きセルコールブイ。
【請求項４】
前記盗難信号検出手段は、前記固有信号応答手段からの出力信号は、前記盗難信号検出手段からの出力信号により、その出力が禁止されることを特徴とする請求項１から３の何れかに記載の盗難防止装置付きセルコールブイ。
【発明の詳細な説明】
【０００１】
【発明の属する技術分野】
本発明は、海上で使用されるブイに関し、特に盗難防止装置を有するセルコールブイに関する。
【０００２】
【従来の技術】
遭難通信に限らず従来の船舶通信においては、各周波数別に呼出し周波数が定められており、通信士がその周波数を聴守して自船への呼掛けを知ることによって応答し、通信用周波数で通信回線が設定される方法によっていた。しかし、最近の船舶の増加、通信量の増加、周波数利用の効率化、通信士の減少などから、特定の船舶局、海岸局などを特定の信号によって選択して呼出しのできる選択呼出し（セルコール）が採用されるようになった。我が国においては、沿岸無線電話には比較的早くから採用され、一般の電話と特定の船舶との接続が簡単に行われていた。１９６０年代の後半より、このセルコールを国際的に船舶に採用することが検討され、ＣＣＩＲ（ＩＴＵ−Ｒ）でのその方式の審議が進んで、１９６７年のＷＡＲＣで改訂され無線通信規則にその呼出し周波数、信号の構成などが規定された。この方式は、０から９までの数字に対応する約１〜２ｋＨｚのトーン周波数による４桁の数字と、その送信時間などの信号の構成を定めたものである。
【０００３】
前記セルコール方式を採用して、漁船が流す漁網・延縄等に取り付け、ラジオブイから発信する電波を船舶の方向探知器で受信し、方向を知ることにより網の発見を容易にするセルコールブイは、ラジオブイに受信装置を装備し、本船からの呼び出し時にだけ応答する。従って、必要な時だけブイの所在を知ることができるので、電池の消耗も少なくて済み、ブイの選択番号が固有に設定されているので、操業海域が他船に漏れたり、網と漁獲物の盗難も未然に防ぐことができる。
【０００４】
前記セルコールシステムは、船舶など（以下、基地局と称す）から選択呼出信号発生装置でブイ固有の選択番号を選択し、選択呼出専用送信機でセルコールブイに電波を発信する。そして該電波を受けたブイは選択番号が当該ブイに定められた選択番号であれば応答し、電波を発信する。基地局は、セルコールブイから発振された電波を方向探知器で受信し、当該ブイのある方向を知る。
【０００５】
図４は、前記従来のセルコールブイのブロック図である。基地局からの選択呼出し（セルコール）信号を受信するアンテナ１、該アンテナ１で受信した前記選択呼出し信号を増幅する受信部３に入力する切り替え器２、受信部３からの前記選択呼出し信号からセルコールブイ固有の選択番号を選択する信号選択部５、該信号選択部５の検出結果を所定の信号に変換するオートキーヤ部６、該オートキーヤ部６の信号を切り替え器２を介してアンテナ１から送信する送信部４から構成されている。
【０００６】
信号選択部５には、複数個のフィルタ回路５ａ、５ｂ、５ｃ、５ｄと、信号検出制御部７が設けられている。複数個のフィルタ回路５ａ、５ｂ、５ｃ、５ｄは、前記選択呼出し信号（トーン信号）のなかに、当該セルコールブイ固有の選択番号が含まれている場合に信号を出力するフィルタ回路である。前記複数個の各フィルタ回路に用いられているフィルタは、それぞれ異なる周波数に応答して信号を出力し、例えば５０２．５Ｈｚから３０Ｈｚづつ増加する周波数に対してそれぞれ応答する特性を有するメカニカルフィルタの中の１個が使用されている。
【０００７】
前記信号検出制御部７は、当該セルコールブイ固有の選択番号が含まれている場合、端子ＣＸから切替え信号を出力し、信号線７ａを介して図示していないリレー回路などにより、前記切り替え器２を送信部４側（ロ側）に切替える。前記オートキーヤ部６は、周知のモールス信号により予め定められた形式で２回、基地局に対して応答信号を送信する。
【０００８】
図５は、前記従来のセルコールブイの動作を説明する図であって、図５（ａ）は当該セルコールブイが固有の選択番号を受信した場合、図５（ｂ）は当該セルコールブイが盗難信号を受信した場合の図である。ここで、盗難信号とは、当該セルコールブイが設置されている位置を悪意などにより正規の基地局以外から送信される信号であって、正規に送信される固有の選択番号全てが含まれている合成信号である。図５において、当該セルコールブイ固有の選択番号は▲１▼、▲２▼、▲３▼、▲４▼とし、図４における複数個のフィルタ回路５ａ、５ｂ、５ｃ、５ｄは、前記選択呼出し信号（トーン信号）のなかに、当該セルコールブイ固有の選択番号▲１▼、▲２▼、▲３▼、▲４▼が含まれている場合に、それぞれ信号を出力するフィルタ回路である。即ち、固有の選択番号▲１▼に対してはフィルタ回路５ａが、固有の選択番号▲２▼に対してはフィルタ回路５ｂが、固有の選択番号▲３▼に対してはフィルタ回路５ｃが、固有の選択番号▲４▼に対してはフィルタ回路５ｄが、それぞれ信号を出力する。
【０００９】
以下、当該セルコールブイが固有の選択番号を受信して正しく応答する場合と、当該セルコールブイが盗難信号を受信して盗難信号に応答してしまう場合について、図５（ａ）、図５（ｂ）により説明する。まず、セルコールブイが正しく応答する場合について説明する。基地局から当該セルコールブイ固有の選択番号▲１▼、▲２▼、▲３▼、▲４▼が含まれる信号ＳＩが順次送信されると、アンテナ１で受信された当該信号は、切替え機２の端子イ側から受信部３を介して、信号選択部５の各フィルタ回路に入力される。
【００１０】
フィルタ回路５ａはセルコールブイ固有の選択番号▲１▼、▲２▼、▲３▼、▲４▼の中から、選択番号▲１▼に応答して、出力端子Ｆ０１に応答信号Ｆ０１１を出力する。該応答信号Ｆ０１１はフィルタ回路５ｂの入力端子ＦＩ２に入力され、フィルタ回路５ｂは、かかる信号により動作が可能になる。同様に、フィルタ回路５ｂは、セルコールブイ固有の選択番号▲１▼、▲２▼、▲３▼、▲４▼の中から選択番号▲２▼に応答して出力端子Ｆ０２に応答信号Ｆ０２１を出力する。該応答信号Ｆ０２１はフィルタ回路５ｃの入力端子ＦＩ３に入力され、フィルタ回路５ｃは、かかる信号により動作が可能になる。同様に、フィルタ回路５ｃは、セルコールブイ固有の選択番号▲１▼、▲２▼、▲３▼、▲４▼の中から選択番号▲３▼に応答して、出力端子Ｆ０３に応答信号Ｆ０３１を出力する。該応答信号Ｆ０３１はフィルタ回路５ｄの入力端子ＦＩ４に入力され、フィルタ回路５ｄは、かかる信号により動作が可能になる。同様に、フィルタ回路５ｄは、セルコールブイ固有の選択番号▲１▼、▲２▼、▲３▼、▲４▼の中から選択番号▲４▼に応答して出力端子Ｆ０４に応答信号Ｆ０４１を出力し、該応答信号Ｆ０４１は、信号検出制御部７の入力端子ＲＸに入力される。
【００１１】
前記応答信号Ｆ０４１が信号検出制御部７の入力端子ＲＸに入力されると、信号検出制御部７は、出力端子ＴＸに信号ＴＸＸを出力する。該信号ＴＸＸは、オートキーヤ部６の入力端子ａに入力され、該オートキーヤ部６により所定の信号に変換される。そして、該変換された信号は、出力端子ｂから出力され、切り替え器２を介してアンテナ１から基地局に送信される。
【００１２】
なお、セルコールブイ固有の選択番号が当該ブイのものと異なる場合には、フィルタ回路５ａ、５ｂ、５ｃ、５ｄの何れかが応答信号を出力しない。その結果、アンテナ１から基地局に信号は送信されない。例えば、セルコールブイ固有の選択番号が▲１▼、▲２▼、▲３▼、▲４▼とし、アンテナで受信した選択番号が▲１▼、▲２▼、▲６▼、▲４▼の場合、フィルタ回路５ｃが応答する選択番号▲３▼が含まれていない。その結果、フィルタ回路５ｃの出力がされず、以降のフィルタ回路５ｄが有効にならない。従って、選択番号▲４▼に応答したフィルタ回路５ｄの出力端子Ｆ０４には応答信号Ｆ０４１が出力されず、信号検出制御部７の入力端子ＲＸに入力されない。
【００１３】
次に、セルコールブイが盗難信号に応答してしまう場合について図５（ｂ）により説明する。当該セルコールブイ固有の選択番号全てが含まれる盗難信号ＳＳが送信されると、アンテナ１で受信された当該信号は、切替え機２の端子イ側から受信部３を介して、信号選択部５の各フィルタ回路に入力される。
【００１４】
盗難信号ＳＳに当該セルコールブイ固有の選択番号全てが含まれる結果、フィルタ回路５ａは盗難信号ＳＳの中から選択番号▲１▼に応答して、出力端子Ｆ０１に応答信号Ｆ０１１を出力する。該応答信号Ｆ０１１は、フィルタ回路５ｂの入力端子ＦＩ２に入力され、フィルタ回路５ｂは、かかる信号により動作が可能になる。同様に、フィルタ回路５ｂは盗難信号ＳＳの中から選択番号▲２▼に応答して、出力端子Ｆ０２に応答信号Ｆ０２１を出力する。該応答信号Ｆ０２１は、フィルタ回路５ｃの入力端子ＦＩ３に入力され、フィルタ回路５ｃは、かかる信号により動作が可能になる。同様に、フィルタ回路５ｃは盗難信号ＳＳの中から選択番号▲３▼に応答して出力端子Ｆ０３に応答信号Ｆ０３１を出力する。該応答信号Ｆ０３１は、フィルタ回路５ｄの入力端子ＦＩ４に入力され、フィルタ回路５ｄは、かかる信号により動作が可能になる。同様に、フィルタ回路５ｄは盗難信号ＳＳの中から選択番号▲４▼に応答して、出力端子Ｆ０４に応答信号Ｆ０４１を出力する。
【００１５】
前記応答信号Ｆ０４１は、信号検出制御部７の入力端子ＲＸに入力されると、信号検出制御部７は出力端子ＴＸに信号ＴＸＸを出力する。該信号は、オートキーヤ部６の入力端子ａに入力され、該オートキーヤ部６により所定の信号に変換される。そして、該変換された信号は、出力端子ｂから出力され、切り替え器２を介してアンテナ１から送信される。
【００１６】
【発明が解決しようとする課題】
しかし、前記セルコールシステムは、以下のような問題点があった。即ち、盗難信号を受信したセルコールブイは、受信信号の中に固有の選択番号全てが含まれている結果、当該セルコールブイ固有の選択番号が送信されたものと判断して、応答信号を出力してしまう。そのために不正な手段で当該セルコールブイの位置を知られてしまい、漁船が流す漁網・延縄等に取り付けられたセルコールブイから操業海域が他船に漏れたり、網と漁獲物の盗難がされる場合がある。
【００１７】
本発明は、かかる問題を解決して、前記盗難信号が発せられた場合でも盗難信号に応答しない、盗難防止装置付きセルコールブイを提供することを目的としてなされたものである。
【００１８】
【課題を解決するための手段】
本発明は上記目的を達成するために請求項１記載の盗難防止装置付きセルコールブイでは、固有の選択番号が含まれる選択呼び出し信号を受信し、回答信号を出力するセルコールブイにおいて、前記固有の選択番号に応答して信号を出力する固有信号応答手段と、前記受信信号が盗難信号であることを検出する盗難信号検出手段を備えることを特徴とする。
【００１９】
請求項２記載の盗難防止装置付きセルコールブイは、請求項１記載の盗難防止装置付きセルコールブイにおいて、前記盗難信号検出手段は、前記固有の選択番号に含まれない他の選択番号に応答して信号を出力し、前記盗難信号検出手段からの出力信号がある場合には、前記固有の選択番号に応答して前記回答信号を出力しないことを特徴とする。
【００２０】
請求項３記載の盗難防止装置付きセルコールブイは、請求項１記載の盗難防止装置付きセルコールブイにおいて、前記盗難信号検出手段は、前記固有の選択番号に含まれない、少なくとも１つの他の選択番号に応答して信号を出力することを特徴とする。
【００２１】
請求項４記載の盗難防止装置付きセルコールブイは、請求項１記載の盗難防止装置付きセルコールブイにおいて、前記盗難信号検出手段は、前記固有信号応答手段からの出力信号は、前記盗難信号検出手段からの出力信号により、その出力が禁止されることを特徴とする。
【００２２】
【発明の実施の形態】
図１は、本発明における第１の実施形態における、セルコールブイのブロック図である。基地局からの選択呼出し（セルコール）信号を受信するアンテナ１、該アンテナ１で受信した前記選択呼出し信号を増幅する受信部３に入力する切り替え器２、該切り替え器２の端子イ側から受信部３を介して接続されている前記選択呼出し信号からセルコールブイ固有の選択番号を選択する信号選択部５、該信号選択部５の検出結果を所定の信号に変換するオートキーヤ部６、該オートキーヤ部６の信号を切り替え器２の端子ロ側を介してアンテナ１から送信する送信部４から構成されている。
【００２３】
信号選択部５には、複数個のフィルタ回路５ａ、５ｂ、５ｃ、５ｄ、５ｅ及び信号検出制御部７、論理制御手段８が設けられている。フィルタ回路５ａ、５ｂ、５ｃ、５ｄは、前記選択呼出し信号（トーン信号）のなかに、当該セルコールブイ固有の選択番号が含まれている場合に信号を出力するフィルタ回路である。又、フィルタ回路５ｅは、前記固有の選択番号に含まれない他の固有の選択番号が含まれている場合に応答して信号を出力するフィルタ回路である。前記複数個の各フィルタ回路５ａ、５ｂ、５ｃ、５ｄ、５ｅは、それぞれ異なる周波数に応答して信号を出力し、例えば５０２．５Ｈｚから３０Ｈｚづつ増加する周波数に対してそれぞれ応答する特性を有するメカニカルフィルタの中の１個が使用されている。
【００２４】
論理制御手段８の入力端子ａ、ｂは、フィルタ回路５ｄとフィルタ回路５ｅの出力端子Ｆ０４、Ｆ０５にそれぞれ接続されている。又、論理制御手段８の出力端子ｃは、信号検出制御部７の入力端子ＲＸに接続されている。以下、フィルタ回路５ｅ及び論理制御手段８を盗難信号検出手段と称する。
【００２５】
前記信号検出制御部７は、例えばマイクロプロセッサなどからなり、プログラムと各種データを保存するＲＯＭ、作業用のデータを保存するＲＡＭを具備し、後述するフィルタからの信号を選択して処理し、オートキーヤ部６へ出力すると共に、前記切り替え器２に切替え信号を送出する処理を行なう。即ち、前記複数のフィルタ回路５ａ、５ｂ、５ｃ、５ｄ、５ｅが後述するような動作を行なうことにより、オートキーヤ部６に対して、固有の選択番号に応答した信号を信号検出制御部７の出力端子ＴＸに出力する。
【００２６】
オートキーヤ部６は、該出力端子ＴＸに出力された信号により、予め定められた形式で周知のモールス信号によって、２回、基地局に対して回答信号を送信する。又、信号検出制御部７は、固有の選択番号に応答して端子ＣＸから切り替え器２に切り替え信号を出力し、信号線７ａを介して図示していないリレー回路などに前記信号が加えられ、前記切り替え器２を送信部４側（ロ側）に切替える。盗難信号の場合には前記複数のフィルタ回路が後述するような動作を行なうことにより、端子ＣＸから切替え信号が出力されない。
【００２７】
なお、前記切り替え器２は、通常は端子イ側に接続されていて常時基地局からの選択呼出し（セルコール）信号を受信するようになっている。前述のように、固有の選択番号に応答した場合に切り替え器２が送信部４側（ロ側）に切替えられる。盗難信号の場合には前記複数のフィルタ回路の動作に応じて、前記切り替え器２を送信部４側（ロ側）に切替えないようにして基地局に対して回答信号を送信しないようにしてもよい。かかる場合の制御は、前記信号検出制御部７により行ない、予め図示していないマイクロプロセッサのプログラムと各種データを、前述したような動作が可能なように変更する。
【００２８】
図２は、図１のフィルタ回路部と論理制御手段８の詳細な回路図である。図２において、フィルタ回路５ａ、５ｂ、５ｃ、５ｄに用いられているフィルタＭＦ１、ＭＦ２、ＭＦ３、ＭＦ４の周波数特性は、前述のように、それぞれ異なる周波数に応答して信号を出力し、例えば５０２．５Ｈｚから３０Ｈｚづつ増加する周波数に対してそれぞれ応答する特性を有するメカニカルフィルタである。又、フィルタ回路５ｅに用いられているフィルタＭＦ５の周波数特性は、前記フィルタ回路５ａ、５ｂ、５ｃ、５ｄに用いられているフィルタの周波数特性と異なり、セルコールブイシステムで予め定められた選択番号であって、前記固有の選択番号に含まれない他の選択番号に応答する特性を有する。更に、フィルタ回路５ａ、５ｂ、５ｃ、５ｄ、５ｅは、一部を除いて同一構成であるが、抵抗器の抵抗値とコンデンサの容量値は、それぞれのフィルタに適した値に定められている。
【００２９】
前述したようにフィルタ回路５ａ、５ｂ、５ｃ、５ｄは、インバータＱ１０１の出力端子に接続されている抵抗器Ｒ１１３以降を除いて同一構成であり、その動作も同一なので、かかる部分までは、フィルタ回路５ａについて説明し、他のフィルタ回路については、説明を省略する。フィルタ回路５ａは、メカニカルフィルタＭＦ１の入力側に接続された入力抵抗器ＲＡ６、メカニカルフィルタＭＦ１の出力側に接続され、前記メカニカルフィルタＭＦ１で選択された信号を整流する整流回路（抵抗器ＲＡ２、Ｒ１０６、ＲＡ４、ダイオードＤ１０１、Ｄ１０２、コンデンサＣ１０１）、該整流回路の出力信号の極性を反転するインバータＱ１０１、該インバータＱ１０１の出力に接続されている抵抗器Ｒ１１３から構成されている。
【００３０】
前記各フィルタ回路５ａ、５ｂ、５ｃのインバータＱ１０１の出力に接続されている抵抗器Ｒ１１３には、それぞれトランジスタＴＲ１０１が接続されていて、該それぞれのトランジスタＴＲ１０１のコレクタ端子（出力端子Ｆ０１、Ｆ０２、Ｆ０３）は、各フィルタ回路５ｂ、５ｃ、５ｄのメカニカルフィルタＭＦ２、ＭＦ３、ＭＦ４の入力側にそれぞれ接続されている。フィルタ回路５ｄのインバータＱ１０１の出力に接続されている抵抗器Ｒ１１３には同じインバータＱ１０１が接続されていて、その出力端子Ｆ０４は、後述する論理制御手段８の、ＡＮＤ回路Ｑ２の一方の入力端子１に接続されている。
【００３１】
フィルタ回路５ｅは、メカニカルフィルタＭＦ５の入力側に接続された入力抵抗器Ｒ１、メカニカルフィルタＭＦ５の出力側に接続され、前記メカニカルフィルタＭＦ５で選択された信号を整流する整流回路（抵抗器Ｒ２、Ｒ３、Ｒ４、ダイオードＤ１、Ｄ２、コンデンサＣ７）、インバータＱ１０１から構成されている。
なお、前記各インバータ、トランジスタ回路には図示していない所定の電源が印加されている。
【００３２】
論理制御手段８は、フィルタ回路５ｄとフィルタ回路５ｅのそれぞれの出力端子Ｆ０４、Ｆ０５に接続されたＡＮＤ回路Ｑ２、該ＡＮＤ回路Ｑ２の出力信号を反転するトランジスタＴＲ４、該トランジスタＴＲ４のコレクタ端子に接続されて、トランジスタＴＲ４の信号レベルを変換するトランジスタＴＲ１０６で構成されている。前記トランジスタＴＲ４のベース端子には抵抗器Ｒ６、Ｒ７が、トランジスタＴＲ１０６のベース端子には抵抗器ＲＡ１、ＲＡ１１、コレクタ端子には出力抵抗器Ｒ１３３が接続されている。ＴＲ１０６のコレクタ端子と抵抗器Ｒ１３３の接続点は出力端子ＯＵＴとなり、該出力端子ＯＵＴは、図１の信号検出制御部７の入力端子ＲＸに接続されている。前記フィルタ回路５ａ、５ｂ、５ｃ、５ｄ、５ｅのそれぞれの入力端子は共通に接続されていて、図１に示した受信部３の出力端子に接続されている。
【００３３】
図３は、前記本発明におけるセルコールブイの動作を説明する図であって、図３（ａ）は当該セルコールブイが固有の選択番号を受信した場合、図３（ｂ）は当該セルコールブイが盗難信号を受信した場合の図である。図３において、当該セルコールブイ固有の選択番号は▲１▼、▲２▼、▲３▼、▲４▼とし、複数個のフィルタは、図１における複数個のフィルタ回路５ａ、５ｂ、５ｃ、５ｄ、５ｅに対応し、前記選択呼出し信号（トーン信号）のなかに、当該セルコールブイ固有の選択番号▲１▼、▲２▼、▲３▼、▲４▼が含まれている場合にそれぞれ信号を出力するフィルタ回路５ａ、５ｂ、５ｃ、５ｄと、前記固有の選択番号に含まれない少なくとも１つの他の選択番号（例えば、▲７▼）に応答するフィルタを有するフィルタ回路５ｅである。
【００３４】
以下、当該セルコールブイが固有の選択番号を受信した場合と、盗難信号を受信した場合の作用について、図３（ａ）、図３（ｂ）により説明する。まず、セルコールブイが固有の選択番号を受信した場合について説明する。基地局から当該セルコールブイ固有の選択番号▲１▼、▲２▼、▲３▼、▲４▼が含まれる信号ＳＩが順次送信されると、アンテナ１で受信された当該信号は、切替え機２の端子イ側から受信部３を介して、信号選択部５の各フィルタ回路に入力される。
【００３５】
フィルタ回路５ａはセルコールブイ固有の選択番号▲１▼、▲２▼、▲３▼、▲４▼の中から、選択番号▲１▼に応答して、出力端子Ｆ０１に応答信号Ｆ０１１を出力する。該応答信号Ｆ０１１はフィルタ回路５ｂのメカニカルフィルタＭＦ２の入力側を高レベルにする。フィルタ回路５ｂは、かかる信号Ｆ０１１により動作が可能になる。同様に、フィルタ回路５ｂは、セルコールブイ固有の選択番号▲１▼、▲２▼、▲３▼、▲４▼の中から選択番号▲２▼に応答して出力端子Ｆ０２に応答信号Ｆ０２１を出力する。該応答信号Ｆ０２１はフィルタ回路５ｃのメカニカルフィルタＭＦ３の入力側を高レベルにする。フィルタ回路５ｃは、かかる信号Ｆ０２１により動作が可能になる。同様に、フィルタ回路５ｃは、セルコールブイ固有の選択番号▲１▼、▲２▼、▲３▼、▲４▼の中から選択番号▲３▼に応答して、出力端子Ｆ０３に応答信号Ｆ０３１を出力する。該応答信号Ｆ０３１はフィルタ回路５ｄのメカニカルフィルタＭＦ４の入力側を高レベルにする。フィルタ回路５ｄは、かかる信号Ｆ０３１により動作が可能になる。同様に、フィルタ回路５ｄは、セルコールブイ固有の選択番号▲１▼、▲２▼、▲３▼、▲４▼の中から選択番号▲４▼に応答して出力端子Ｆ０４に応答信号Ｆ０４１を出力し、該応答信号Ｆ０４１はＡＮＤ回路Ｑ２の一方の入力端子１に入力される。
【００３６】
一方、正規の基地局から送信される固有の選択番号のみを含む信号では、前記固有の選択番号に含まれない少なくとも１つの他の選択番号に応答するフィルタ回路５ｅのフィルタＭＦ５は、固有の選択番号のみを含む信号である場合、応答せず出力信号はインバータＱ１０１の入力端子に出力されない。該信号はインバータＱ１０１で反転され、前記ＡＮＤ回路Ｑ２の他方の入力端子２に印加され、一方の入力端子１の信号の極性によりＡＮＤ回路Ｑ２の出力が決定される。前記ＡＮＤ回路Ｑ２の一方の入力端子１には、フィルタ回路５ｄの出力端子Ｆ０４が接続されている。
【００３７】
その結果、固有の選択番号に応答したフィルタ回路５ａ、５ｂ、５ｃ、５ｄの最終的な信号である、出力端子Ｆ０４に出力される応答信号Ｆ０４１は、フィルタ回路５ｅのフィルタＭＦ５の信号によりマスクされず、前記ＡＮＤ回路Ｑ２に出力される。即ち、前記応答信号Ｆ０４１は、図１の信号検出制御部７の入力端子ＲＸに入力される。該入力端子ＲＸに入力された信号は、信号検出制御部７の出力端子ＴＸに信号ＴＸＸとして出力される。該信号ＴＸＸは、オートキーヤ部６の入力端子ａに入力され、該オートキーヤ部６により所定の信号に変換される。又、前記信号ＴＸＸと共に、出力端子ＣＸから切り替え器２に対して端子をロ側に切替える信号が出力され、前記オートキーヤ部６により所定の信号に変換された信号は、オートキーヤ部６の出力端子ｂから出力され、切り替え器２を介してアンテナ１から送信される。
【００３８】
なお、セルコールブイ固有の選択番号が当該ブイのものと異なる場合には、フィルタ回路５ａ、５ｂ、５ｃ、５ｄの何れかが応答信号を出力しない。その結果、アンテナ１から基地局に信号は送信されない。例えば、セルコールブイ固有の選択番号が▲１▼、▲２▼、▲３▼、▲４▼とし、アンテナで受信した選択番号が▲１▼、▲２▼、▲６▼、▲４▼の場合、フィルタ回路５ｃが応答する選択番号▲３▼が含まれていない。その結果、フィルタ回路５ｃの出力がされず、以降のフィルタ回路５ｄが有効にならない。従って、選択番号▲４▼に応答したフィルタ回路５ｄの出力端子Ｆ０４には応答信号Ｆ０４１が出力されず、該応答信号Ｆ０４１によりＡＮＤ回路Ｑ２の出力がされない。その結果、信号検出制御部７の入力端子ＲＸには信号が入力されない。
【００３９】
次に、セルコールブイが盗難信号を受信した場合について図３（ｂ）により説明する。当該セルコールブイ固有の選択番号全てが含まれる盗難信号ＳＳが送信されると、アンテナ１で受信された当該信号は、切替え機２の端子イ側から受信部３を介して、信号選択部５の各フィルタ回路に入力される。
【００４０】
盗難信号ＳＳに当該セルコールブイ固有の選択番号全てが含まれる結果、フィルタ回路５ａは盗難信号ＳＳの中から選択番号▲１▼に応答して、出力端子Ｆ０１に応答信号Ｆ０１１を出力する。該応答信号Ｆ０１１はフィルタ回路５ｂのメカニカルフィルタＭＦ２の入力側を高レベルにする。フィルタ回路５ｂは、かかる信号Ｆ０１１により動作が可能になる。同様に、フィルタ回路５ｂは、盗難信号ＳＳの中から選択番号▲２▼に応答して、出力端子Ｆ０２に応答信号Ｆ０２１を出力する。該応答信号Ｆ０２１はフィルタ回路５ｃのメカニカルフィルタＭＦ３の入力側を高レベルにする。フィルタ回路５ｃは、かかる信号Ｆ０２１により動作が可能になる。同様に、フィルタ回路５ｃは、盗難信号ＳＳの中から選択番号▲３▼に応答して、出力端子Ｆ０３に応答信号Ｆ０３１を出力する。該応答信号Ｆ０３１はフィルタ回路５ｄのメカニカルフィルタＭＦ４の入力側を高レベルにする。フィルタ回路５ｄは、かかる信号Ｆ０３１により動作が可能になる。同様に、フィルタ回路５ｄは、盗難信号ＳＳの中から選択番号▲４▼に応答して出力端子Ｆ０４に応答信号Ｆ０４１を出力し、該応答信号Ｆ０４１はＡＮＤ回路Ｑ２の一方の入力端子１に入力される。
【００４１】
一方、全ての選択番号を含む盗難信号では、前記固有の選択番号に含まれない少なくとも１つの他の選択番号に応答するフィルタ回路５ｅのフィルタＭＦ５は、全ての選択番号を含む盗難信号である場合、必ず応答して出力信号がインバータＱ１０１の入力端子に出力される。該信号はインバータＱ１０１で反転され低レベルになり、前記ＡＮＤ回路Ｑ２はマスクされる。その結果、前記ＡＮＤ回路Ｑ２の一方の入力端子１に印加されているフィルタ回路５ｄの出力信号Ｆ０４１がマスクされる。即ち、前記盗難信号に応答して出力された応答信号Ｆ０４１は、図１の信号検出制御部７の入力端子ＲＸに入力されず、信号検出制御部７の出力端子ＴＸにも信号ＴＸＸは出力されない。即ち、オートキーヤ部６の出力端子ｂから切り替え器２を介してアンテナ１から回答信号が送信されない。
【００４２】
【発明の効果】
本発明の盗難防止装置付きセルコールブイによれば、固有の選択番号に応答して信号を出力する固有信号応答手段と、前記固有の選択番号以外の選択番号に応答して信号を出力する盗難信号検出手段を備え、前記盗難信号検出手段からの信号がある場合には、固有の選択番号に応答する固有信号応答手段の出力信号を基地局に対して応答信号として出力しないことにより、不正な手段で当該セルコールブイの位置を知り、漁船が流す漁網・延縄等に取り付けられたセルコールブイから操業海域が他船に漏れたり、網と漁獲物の盗難がされる場合が防止される。
【図面の簡単な説明】
【図１】本発明の実施の形態におけるセルコールブイのブロック図である。
【図２】本発明の実施の形態におけるフィルタ回路部の詳細な回路図である。
【図３】本発明におけるセルコールブイの動作を説明する図であって、図３（ａ）は当該セルコールブイが固有の選択番号を受信した場合、図３（ｂ）は当該セルコールブイが盗難信号を受信した場合の図である。
【図４】従来のセルコールブイのブロック図である。
【図５】従来のセルコールブイの動作を説明する図であって、図５（ａ）は当該セルコールブイが固有の選択番号を受信した場合、図５（ｂ）は当該セルコールブイが盗難信号を受信した場合の図である。
【符号の説明】
１　アンテナ
２　切り替え器
３　受信部
４　送信部
５　信号選択部
５ａ、５ｂ、５ｃ、５ｄ、５ｅ　フィルタ回路
６　オートキーヤ部
【図１】
2004048173.tif 000003
【図２】
2004048173.tif 000004
【図３】
2004048173.tif 000005
【図４】
2004048173.tif 000006
【図５】
2004048173.tif 000007